(57)【要約】【課題】医療用ガウンの着用紐の受け渡しの際に、着用者の手と介助者の手とが接触することを好適に防止する。【解決手段】補助カード８は、第１把持領域８１と、第２把持領域８２と、中間領域８３と、係止部８４とを備える。第１把持領域８１は、着用者の把持用の領域である。第２把持領域８２は、介助者の把持用の領域であり、第１把持領域８１と視覚により識別可能である。中間領域８３は、第１把持領域８１と第２把持領域８２との間に配置されて、第１把持領域８１と第２把持領域８２とを離隔させる。係止部８４は、第１把持領域８１に配置される。係止部８４には、着用紐の端部が係止される。これにより、医療用ガウンの着用時における補助カード８の受け渡し（すなわち、着用紐の受け渡し）の際に、着用者の手と介助者の手とが接触することを好適に防止することができる。【選択図】図４
2018090930.tif 000002
【特許請求の範囲】
【請求項１】
医療用ガウンの着用の際に、着用者と介助者との間における前記医療用ガウンの着用紐の受け渡しに利用される補助カードであって、
着用者の把持用の領域である第１把持領域と、
介助者の把持用の領域であり、前記第１把持領域と視覚により識別可能な第２把持領域と、
前記第１把持領域と前記第２把持領域との間に配置されて前記第１把持領域と前記第２把持領域とを離隔させる中間領域と、
前記第１把持領域に配置されて前記着用紐の端部が係止される係止部と、
を備えることを特徴とする補助カード。
【請求項２】
請求項１に記載の補助カードであって、
前記第２把持領域に、前記介助者の把持位置を視覚認識させる把持目印が設けられることを特徴とする補助カード。
【請求項３】
請求項２に記載の補助カードであって、
前記把持目印が、前記第２把持領域の端縁から前記中間領域に向かって延びる親指の指先の絵であることを特徴とする補助カード。
【請求項４】
請求項１ないし３のいずれかに記載の補助カードであって、
前記第１把持領域、前記中間領域および前記第２把持領域が、この順番で長手方向に並んで配置されており、
前記第２把持領域の前記長手方向の長さが、前記第１把持領域の前記長手方向の長さよりも短いことを特徴とする補助カード。
【請求項５】
請求項４に記載の補助カードであって、
前記第２把持領域の前記長手方向の長さと前記中間領域の前記長手方向の長さとの合計が、前記第１把持領域の前記長手方向の長さよりも短いことを特徴とする補助カード。
【請求項６】
請求項１ないし５のいずれかに記載の補助カードであって、
前記第１把持領域、前記中間領域および前記第２把持領域が、この順番で長手方向に並んで配置されており、
前記中間領域の前記長手方向に垂直な幅方向の幅が、前記第１把持領域の前記幅方向の幅、および、前記第２把持領域の前記幅方向の幅よりも小さいことを特徴とする補助カード。
【請求項７】
請求項１ないし６のいずれかに記載の補助カードであって、
前記中間領域に、前記着用者および前記介助者の接触を抑制する視覚認識が可能な接触抑制目印が設けられることを特徴とする補助カード。
【請求項８】
請求項１ないし７のいずれかに記載の補助カードであって、
前記第２把持領域と前記中間領域との境界部に、前記第２把持領域と前記中間領域との境界を触覚認識させる境界マークが設けられることを特徴とする補助カード。
【請求項９】
医療用ガウンの着用の際に、着用者と介助者との間における前記医療用ガウンの着用紐の受け渡しに利用される補助カードであって、
着用者の把持用の領域である第１把持領域と、
介助者の把持用の領域であり、前記第１把持領域と視覚により識別可能な第２把持領域と、
前記第１把持領域に配置されて前記着用紐の端部が係止される係止部と、
を備え、
前記第２把持領域に、前記介助者の把持位置を視覚認識させる把持目印が設けられることを特徴とする補助カード。
【発明の詳細な説明】
【技術分野】
【０００１】
本発明は、医療用ガウンの着用の際に、着用者と介助者との間における医療用ガウンの着用紐の受け渡しに利用される補助カードに関する。
【背景技術】
【０００２】
従来、外科手術等の際には、手術に携わる医師および看護師等の医療者は、滅菌された医療用ガウンを着用する（特許文献１参照）。医療者が医療用ガウンを着用することにより、易感染状態の患者を感染源から守り、また、患者の血液や体液等が医療者の肌に付着することを防止することができる。
【０００３】
このような医療用ガウンを着用する際には、後身頃の右側の部位と左側の部位とを着用者の背面側にて接続する。このとき、着用者の手や前腕部が背面側に回って不潔状態になることを防止するために、介助者により後身頃の左右両側の部位を閉じて互いに固定してもらう。そして、腰部の一方の側部から延びる紐を着用者が介助者に手渡し、介助者が当該紐を着用者の背面側を通して再度着用者に渡し、着用者が当該紐と腰部の他方の側部から延びる他の紐とを括ることにより、医療用ガウンを着用者の身体にフィットさせる。
【先行技術文献】
【特許文献】
【０００４】
【特許文献１】特開２０１４−１６３０２２号公報
【発明の概要】
【発明が解決しようとする課題】
【０００５】
ところで、上述のように、医療用ガウンの紐が着用者と介助者との間で受け渡される場合、着用者と介助者との接触を防止するために、紐の先端部を紙製の補助カードに係止し、着用者と介助者との間で補助カードを受け渡すことが行われている。しかしながら、着用者および介助者の補助カードの持ち方によっては、着用者の手と介助者の手とが接触するおそれがある。
【０００６】
本発明は、上記課題に鑑みなされたものであり、医療用ガウンの着用紐の受け渡しの際に、着用者の手と介助者の手とが接触することを好適に防止することを目的としている。
【課題を解決するための手段】
【０００７】
請求項１に記載の発明は、医療用ガウンの着用の際に、着用者と介助者との間における前記医療用ガウンの着用紐の受け渡しに利用される補助カードであって、着用者の把持用の領域である第１把持領域と、介助者の把持用の領域であり、前記第１把持領域と視覚により識別可能な第２把持領域と、前記第１把持領域と前記第２把持領域との間に配置されて前記第１把持領域と前記第２把持領域とを離隔させる中間領域と、前記第１把持領域に配置されて前記着用紐の端部が係止される係止部とを備える。
【０００８】
請求項２に記載の発明は、請求項１に記載の補助カードであって、前記第２把持領域に、前記介助者の把持位置を視覚認識させる把持目印が設けられる。
【０００９】
請求項３に記載の発明は、請求項２に記載の補助カードであって、前記把持目印が、前記第２把持領域の端縁から前記中間領域に向かって延びる親指の指先の絵である。
【００１０】
請求項４に記載の発明は、請求項１ないし３のいずれかに記載の補助カードであって、前記第１把持領域、前記中間領域および前記第２把持領域が、この順番で長手方向に並んで配置されており、前記第２把持領域の前記長手方向の長さが、前記第１把持領域の前記長手方向の長さよりも短い。
【００１１】
請求項５に記載の発明は、請求項４に記載の補助カードであって、前記第２把持領域の前記長手方向の長さと前記中間領域の前記長手方向の長さとの合計が、前記第１把持領域の前記長手方向の長さよりも短い。
【００１２】
請求項６に記載の発明は、請求項１ないし５のいずれかに記載の補助カードであって、前記第１把持領域、前記中間領域および前記第２把持領域が、この順番で長手方向に並んで配置されており、前記中間領域の前記長手方向に垂直な幅方向の幅が、前記第１把持領域の前記幅方向の幅、および、前記第２把持領域の前記幅方向の幅よりも小さい。
【００１３】
請求項７に記載の発明は、請求項１ないし６のいずれかに記載の補助カードであって、前記中間領域に、前記着用者および前記介助者の接触を抑制する視覚認識が可能な接触抑制目印が設けられる。
【００１４】
請求項８に記載の発明は、請求項１ないし７のいずれかに記載の補助カードであって、前記第２把持領域と前記中間領域との境界部に、前記第２把持領域と前記中間領域との境界を触覚認識させる境界マークが設けられる。
【００１５】
請求項９に記載の発明は、医療用ガウンの着用の際に、着用者と介助者との間における前記医療用ガウンの着用紐の受け渡しに利用される補助カードであって、着用者の把持用の領域である第１把持領域と、介助者の把持用の領域であり、前記第１把持領域と視覚により識別可能な第２把持領域と、前記第１把持領域に配置されて前記着用紐の端部が係止される係止部とを備え、前記第２把持領域に、前記介助者の把持位置を視覚認識させる把持目印が設けられる。
【発明の効果】
【００１６】
本発明では、医療用ガウンの着用紐の受け渡しの際に、着用者の手と介助者の手とが接触することを好適に防止することができる。
【図面の簡単な説明】
【００１７】
【図１】第１の実施の形態に係る補助カードを備える医療用ガウンを広げた状態で示す図である。
【図２】着用者が着用した状態の医療用ガウンの正面図である。
【図３】着用途上の医療用ガウンの正面図である。
【図４】補助カードの拡大図である。
【図５】補助カードの拡大図である。
【図６】補助カードの拡大図である。
【図７】第２の実施の形態に係る補助カードの拡大図である。
【発明を実施するための形態】
【００１８】
図１は、本発明の第１の実施の形態に係る補助カード８を備える医療用ガウン１を示す図である。医療用ガウン１は、外科手術等の際に医師および看護師等が着用する使い捨てのガウンである。図１は、着用前の医療用ガウン１を広げた状態で示す正面図である。図１では、医療用ガウン１の着用者に接する内面とは反対側の外面を手前にして医療用ガウン１を描いている。図２は、着用者が着用した状態の医療用ガウン１の前面側を示す正面図である。医療用ガウン１の着用が完了した状態では、補助カード８（図１参照）は医療用ガウン１から取り外されている。
【００１９】
医療用ガウン１は、着用者の後側で左右の部位を閉じる後閉じタイプのガウンである。医療用ガウン１は、前面部２と、背面部３と、一対の袖部４とを備える。前面部２は、着用者の前面を覆う。背面部３は、着用者の背面を覆う。一対の袖部４は、前面部２および背面部３の左右方向の両側に繋がる筒状の部位である。一対の袖部４には、着用者の両腕が挿入される。各袖部４は、着用者の腕のうち肩部から手首に至る部位を覆う。
【００２０】
前面部２は、連続する１枚のシート状の部位である。前面部２は、着用者の喉元（すなわち、首と胸部との間の部位）、胸部、腹部、腰部前面および両脚の前面を覆う。図２に示す例では、前面部２は、着用者の喉元の略全体、胸部の略全体、腹部の略全体、腰部前面の略全体、および、両脚の前面のうち脚の付け根部から膝下に至る部位を覆う。
【００２１】
背面部３は、内背面部３１と、外背面部３２とを備える。内背面部３１は、前面部２の左右方向の一方側から着用者の背面に広がり、着用者の背面を覆う。外背面部３２は、前面部２の左右方向の他方側から着用者の背面に広がる。換言すれば、外背面部３２は、前面部２の左右両側の端部のうち、内背面部３１が繋がる側とは反対側に繋がる。外背面部３２は、内背面部３１の後側にて内背面部３１に重なるとともに着用者の背面を覆う。図１に示す例では、内背面部３１は、着用者の左側（すなわち、図１中の右側）において前面部２に繋がり、外背面部３２は、着用者の右側において前面部２に繋がる。
【００２２】
背面部３は、着用者の背部、腰部背面（臀部を含む。）および両脚の背面を覆う。具体的には、背面部３は、着用者の背部の略全体、腰部背面の略全体、および、両脚の背面のうち脚の付け根部から膝下に至る部位を覆う。
【００２３】
各袖部４は、先端伸縮部４１と、腕被覆部４２とを備える。先端伸縮部４１および腕被覆部４２は、袖部４の長手方向に連続する。先端伸縮部４１は、袖部４の先端開口４４から肘部側に延びる筒状の部位である。先端伸縮部４１は、着用者の手首を被覆する。先端伸縮部４１は、少なくとも周方向において伸縮性を有しており、着用者の手首に密着する。先端伸縮部４１は、例えば、ポリプロピレン等により形成される。腕被覆部４２は、先端伸縮部４１の肘部側の端部から肩部側に延びる筒状の部位である。腕被覆部４２は、着用者の手首から肩部に至る前腕部および上腕部を被覆する。
【００２４】
医療用ガウン１は、着用紐７１と、着用紐７２とをさらに備える。着用紐７１の固定端部は、着用者の右側（すなわち、図１中の左側）にて前面部２の腰部近傍に固定されている。着用紐７２の固定端部は、着用者の左側にて前面部２の腰部近傍に固定されている。着用紐７１の長さは、着用紐７２の長さよりも長い。着用紐７１，７２は、着用者の腰部近傍にて互いに括られることにより、医療用ガウン１を着用者の身体にフィットさせる。
【００２５】
図１に示すように、着用前の状態の医療用ガウン１は、補助カード８をさらに備える。補助カード８は、医療用ガウン１の着用の際に、着用者と介助者との間における医療用ガウン１の着用紐７１の受け渡しに利用される。医療用ガウン１の着用前の状態では、着用紐７１，７２の自由端部は補助カード８に係止され、補助カード８は、前面部２の前側に位置する。
【００２６】
医療用ガウン１が着用される際には、まず、着用者の両腕が一対の袖部４に挿入される。着用者の手は、各袖部４の先端伸縮部４１よりも手前側（すなわち、肘部側）にて、腕被覆部４２の内部に位置する。続いて、介助者により、図１に示す内背面部３１および外背面部３２が着用者の背面に重ねられる。そして、内背面部３１および外背面部３２等に設けられている着用紐等により、内背面部３１と外背面部３２とが固定される。
【００２７】
次に、着用者により、着用紐７２と補助カード８とが把持され、着用紐７２が補助カード８から離れるように引っ張られることにより、図３に示すように、着用紐７２の自由端部の係止が解除されて、着用紐７２が補助カード８から外れる。着用紐７１の自由端部は、補助カード８に係止された状態である。このとき、着用者の手は、上述のように袖部４の内部に位置しており、着用者は袖部４の生地を介して着用紐７２および補助カード８を把持する。このため、着用者の手が着用紐７２および補助カード８に直接的に接触することが防止される。なお、図３では、袖部４を着用紐７２および補助カード８から離して描いている。
【００２８】
そして、着用紐７１の自由端部が係止された補助カード８が着用者から介助者に手渡され、介助者が補助カード８を着用者の背面側を通して、着用者の左側から再度着用者に手渡すことにより、着用紐７１が着用者の背面を横切った状態となる。着用者は、着用紐７１を補助カード８から離れるように引っ張り、着用紐７１の自由端部から補助カード８を外す。補助カード８は廃棄される。そして、着用者が着用紐７１と着用紐７２とを腰部近傍にて括ることにより、図２に示すように、医療用ガウン１の着用が完了する。その後、着用者が腕を伸ばして手を袖部４の先端開口４４（図１参照）から外側へと出し、医療用手袋６を手に装着する。
【００２９】
なお、医療用ガウン１の着用では、着用者の手を袖部４の先端開口４４から出して医療用手袋６を着用した後、着用紐７２を補助カード８から外し、着用紐７１の自由端部が係止された補助カード８を介助者に手渡してもよい。その後、介助者は、上記と同様に、補助カード８を着用者の背面側を通して再度着用者に手渡し、着用者は、補助カード８を着用紐７１から外して着用紐７１と着用紐７２とを括ることにより、医療用ガウン１の着用を完了する。
【００３０】
図４は、補助カード８を拡大して示す平面図である。補助カード８は、例えば、紙製のカード状（すなわち、薄板状）の部材である。図４に示す例では、補助カード８は、平面視において略長方形状の部材である。補助カード８は、紙以外の材料により形成されてもよい。また、補助カード８の形状は、様々に変更されてよい。図４では、補助カード８の表側の主面を描いている。補助カード８の裏側の主面は、表側の主面と同じであってもよく（すなわち、同様の表示を有していてもよく）、異なっていてもよい。例えば、補助カード８の裏側の主面は、図形や文字の表示がなく、着色もない無地であってもよい。
【００３１】
補助カード８は、第１把持領域８１と、第２把持領域８２と、中間領域８３と、２つの係止部８４とを備える。中間領域８３は、第１把持領域８１と第２把持領域８２との間に配置され、第１把持領域８１と第２把持領域８２とを離隔させる。すなわち、第１把持領域８１と第２把持領域８２とは、間に中間領域８３が存在することにより不連続である。図４に示す例では、第１把持領域８１、中間領域８３および第２把持領域８２は、この順番で補助カード８の長手方向（すなわち、図４中の上下方向）に並んで配置される。
【００３２】
以下の説明では、第１把持領域８１と中間領域８３との間の境界線を「第１境界線８５１」と呼び、第２把持領域８２と中間領域８３との間の境界線を「第２境界線８５２」と呼ぶ。また、補助カード８の長手方向を、単に「長手方向」ともいう。図４に示す例では、第１境界線８５１および第２境界線８５２は、長手方向に垂直な幅方向に略平行に延びる略直線状である。また、第２把持領域８２の長手方向の長さは、好ましくは、第１把持領域８１の長手方向の長さよりも短い。第２把持領域８２の長手方向の長さと中間領域８３の長手方向の長さとの合計も、好ましくは、第１把持領域８１の長手方向の長さよりも短い。第１把持領域８１、中間領域８３および第２把持領域８２の幅方向の幅は、ほぼ同じである。
【００３３】
補助カード８の長手方向の全長に対する第１把持領域８１の長手方向の長さの割合は、好ましくは、４０％以上７０％以下である。補助カード８の長手方向の全長に対する中間領域８３の長手方向の長さの割合は、好ましくは、５％以上３０％以下である。補助カード８の長手方向の全長に対する第２把持領域８２の長手方向の長さの割合は、好ましくは、２０％以上３５％以下である。
【００３４】
第１把持領域８１は、着用者の把持用の領域である。第２把持領域８２は、介助者の把持用の領域である。すなわち、第１把持領域８１は清潔側として認識される領域であり、第２把持領域８２は不潔側として認識される領域である。上述のように、着用者から介助者に補助カード８が渡される場合、着用者は、補助カード８の第１把持領域８１を把持した状態で補助カード８を介助者に差し出し、介助者は、補助カード８の第２把持領域８２を把持して補助カード８を受け取る。また、介助者から着用者に補助カード８が渡される場合、介助者は、補助カード８の第２把持領域８２を把持した状態で補助カード８を着用者に差し出し、着用者は、補助カード８の第１把持領域８１を把持して補助カード８を受け取る。いずれの場合も、着用者および介助者は、補助カード８の中間領域８３には触れないように補助カード８を取り扱う。すなわち、中間領域８３は、着用者および介助者の双方に対して接触が禁止されている接触禁止領域である。
【００３５】
第２把持領域８２は、第１把持領域８１と視覚により識別可能である。例えば、第１把持領域８１の色と第２把持領域８２の色とを異ならせることにより、第１把持領域８１と第２把持領域８２とが視覚により識別されてもよい。また、第１把持領域８１および第２把持領域８２の少なくとも一方に、当該領域が第１把持領域８１および第２把持領域８２のどちらであるかを示す図形や文字、模様等が表示されてもよい。図４に示す例では、第１把持領域８１はおよそ白色であり、第２把持領域８２はおよそ赤色である。また、第２把持領域８２には、当該領域が介助者が把持する領域であることを示す「介助者」という文字８２２が表示されている。第１把持領域８１には、例えば、医療用ガウン１の販売者のロゴマーク等が表示されてもよい。
【００３６】
第２把持領域８２には、介助者が把持すべき位置を視覚認識させる把持目印８２１が設けられる。図４に示す例では、把持目印８２１は、第２把持領域８２の端縁（すなわち、中間領域８３とは反対側の端縁）から中間領域８３に向かって延びる親指の指先の絵である。把持目印８２１は、必ずしも指先の絵には限定されず、様々に変更されてよい。例えば、把持目印８２１は、「指」という漢字を円で囲んだ図形であってもよい。あるいは、把持目印８２１は、周囲の領域とは色が異なる略円形や略長円形の領域（すなわち、周囲と色が異なる図形）であってもよい。
【００３７】
中間領域８３は、第１把持領域８１および第２把持領域８２と視覚により識別可能である。例えば、中間領域８３の色を、第１把持領域８１および第２把持領域８２の色と異ならせることにより、中間領域８３と第１把持領域８１および第２把持領域８２とが視覚により識別されてもよい。また、第１把持領域８１、中間領域８３および第２把持領域８２のうち１つ以上の領域に、当該領域が第１把持領域８１、中間領域８３および第２把持領域８２のいずれであるかを示す図形や文字、模様等が表示されてもよい。
【００３８】
図４に示す例では、第１把持領域８１はおよそ白色であり、中間領域８３はおよそ水色であり、第２把持領域８２はおよそ赤色である。第２把持領域８２には、中間領域８３と第２把持領域８２との間の第２境界線８５２の位置を示す「へ」の字状の記号と「ここまで」という文字とを組み合わせた図形８２３が表示されている。また、中間領域８３には、市松模様が表示されている。当該市松模様を構成する最小要素である矩形要素（すなわち、水色または白色の１つの正方形要素）の長手方向の長さは、例えば、中間領域８３の長手方向の長さの１／８である。中間領域８３に表示される模様は、様々に変更されてよい、例えば、中間領域８３には、それぞれが長手方向に延びる複数の直線要素が、互いに離間しつつ幅方向に配列されるストライプ模様が表示されてもよい。
【００３９】
補助カード８では、２つの係止部８４のうち、少なくとも一方の係止部８４は第１把持領域８１に配置される。図４に示す例では、第１把持領域８１に２つの係止部８４が配置される。各係止部８４は、補助カード８を貫通する貫通孔である。各係止部８４の平面視における形状は、例えば略円形である。係止部８４の平面視における形状は、様々に変更されてよい。
【００４０】
各係止部８４には、着用紐７１，７２のうち少なくとも一方が係止される。例えば、着用紐７１の自由端部は、当該２つの係止部８４に係止され、着用紐７２の自由端部は、図中の右側（すなわち、着用者の左側）の係止部８４に係止される。具体的には、図１および図３に示すように、医療用ガウン１の着用紐７１は、図中の左側（すなわち、着用者の右側）の係止部８４に補助カード８の表側から挿入され、補助カード８の裏側から図中の右側の係止部８４に挿入された状態である。着用紐７１は、２つの係止部８４の縁部等との摩擦等により補助カード８に係止される。着用紐７２の自由端部は、図中の右側の係止部８４に補助カード８の裏側から挿入される。着用紐７２は、当該係止部８４の縁部等との摩擦等により補助カード８に係止される。着用紐７１および着用紐７２は、上述のように、補助カード８から離れる向きに引っ張られることにより、係止部８４による係止が解除されて補助カード８から外れる。
【００４１】
以上に説明したように、補助カード８は、第１把持領域８１と、第２把持領域８２と、中間領域８３と、係止部８４とを備える。第１把持領域８１は、着用者の把持用の領域である。第２把持領域８２は、介助者の把持用の領域であり、第１把持領域８１と視覚により識別可能である。中間領域８３は、第１把持領域８１と第２把持領域８２との間に配置されて、第１把持領域８１と第２把持領域８２とを離隔させる。係止部８４は、第１把持領域８１に配置される。係止部８４には、着用紐７１の端部（すなわち、自由端部）が係止される。
【００４２】
上述のように、医療用ガウン１の着用時における着用紐７１の受け渡しの際に、着用紐７１の端部が係止された補助カード８を利用することにより、着用者の手と介助者の手とが接触することを防止または抑制することができる。また、補助カード８において、着用者用の第１把持領域８１と、介助者用の第２把持領域８２とを離隔する中間領域８３が設けられることにより、補助カード８の受け渡し（すなわち、着用紐７１の受け渡し）の際に、補助カード８を把持する着用者の手と介助者の手との間の距離を大きくすることができる。その結果、着用者の手と介助者の手とが接触することを好適に防止することができる。
【００４３】
補助カード８では、２つの係止部８４が第１把持領域８１に配置される。これにより、補助カード８に係止されている着用紐７１の端部も、第１把持領域８１に位置する。その結果、補助カード８を把持する介助者が、補助カード８に係止されている着用紐７１に接触することを防止または抑制することができる。
【００４４】
補助カード８では、２つの係止部８４のうち、一方の係止部８４が第１把持領域８１に配置され、他方の係止部８４が他の領域（例えば、第２把持領域８２）に配置されてもよい。この場合、第１把持領域８１に配置された係止部８４に着用紐７１が係止され、他の領域に配置された係止部８４に着用紐７２が係止される。これにより、上記と同様に、介助者が補助カード８に係止されている着用紐７１に接触することを防止または抑制することができる。
【００４５】
補助カード８では、１つまたは３つ以上の係止部８４が設けられてもよい。係止部８４が１つである場合、当該係止部８４が第１把持領域８１に配置され、当該係止部８４に着用紐７１が係止される。係止部８４が３つ以上である場合、少なくとも１つの係止部８４が第１把持領域８１に配置され、当該少なくとも１つの係止部８４に着用紐７１が係止される。いずれの場合も、上記と同様に、介助者が補助カード８に係止されている着用紐７１に触れることを防止または抑制することができる。
【００４６】
上述のように、補助カード８の第２把持領域８２には、介助者の把持位置を視覚認識させる把持目印８２１が設けられる。これにより、介助者が補助カード８を把持する際に、介助者の指先が第２把持領域８２からはみ出して、中間領域８３に接触することを防止または抑制することができる。その結果、補助カード８の受け渡し（すなわち、着用紐７１の受け渡し）の際に、着用者の手と介助者の手とが接触することを、さらに好適に防止することができる。
【００４７】
また、把持目印８２１は、第２把持領域８２の端縁から中間領域８３に向かって延びる親指の指先の絵である。これにより、介助者が補助カード８を把持する際に、介助者の親指を接触させるべき補助カード８上の位置を、速やかに視覚認識することができる。さらに、介助者が把持する際の補助カード８の向きも、速やかに視覚認識することができる。このため、介助者が補助カード８の中間領域８３に接触することをより好適に防止し、または、より一層抑制することができる。その結果、補助カード８の受け渡しの際に、着用者の手と介助者の手とが接触することを、より一層好適に防止することができる。
【００４８】
補助カード８では、第１把持領域８１、中間領域８３および第２把持領域８２が、この順番で長手方向に並んで配置される。そして、第２把持領域８２の長手方向の長さが、第１把持領域８１の長手方向の長さよりも短い。このように、補助カード８に占める第２把持領域８２の割合を小さくすることにより、介助者の手の指先以外の部位を補助カード８から離れさせることができる。その結果、補助カード８の受け渡しの際に、着用者の手と介助者の手とが接触することをさらに好適に防止することができる。また、補助カード８に占める第１把持領域８１の割合を大きくすることにより、着用者が補助カード８を把持しやすくなる。その結果、着用者が、医療用ガウン１の着用を容易かつ快適に行うことができる。当該補助カード８の構造は、着用者が、手を袖部４の内部に位置させた状態で補助カード８および着用紐７１，７２を取り扱う場合に特に適している。
【００４９】
さらに、補助カード８では、第２把持領域８２の長手方向の長さと中間領域８３の長手方向の長さとの合計も、第１把持領域８１の長手方向の長さよりも短い。これにより、補助カード８に占める第２把持領域８２の割合がさらに小さくなるため、補助カード８の受け渡しの際に、着用者の手と介助者の手とが接触することをより一層好適に防止することができる。また、補助カード８に占める第１把持領域８１の割合がさらに大きくなるため、着用者が補助カード８をさらに把持しやすくなり、医療用ガウン１の着用を容易かつ快適に行うことができる。当該補助カード８の構造も、着用者が、手を袖部４の内部に位置させた状態で補助カード８および着用紐７１，７２を取り扱う場合に特に適している。
【００５０】
図５は、補助カード８の他の好ましい例を示す図である。図５に示す例では、補助カード８の中間領域８３に、着用者および介助者の接触を抑制する視覚認識が可能な接触抑制目印８３１が設けられる。図５に示す例では、接触抑制目印８３１は、「触れない」という文字である。接触抑制目印８３１は、例えば、他の文字であってもよく、図形または模様等であってもよい。中間領域８３に接触抑制目印８３１が設けられることにより、着用者および介助者が補助カード８の中間領域８３に触れることが抑制されるため、補助カード８の受け渡しの際に、着用者の手と介助者の手とが接触することをさらに好適に防止することができる。
【００５１】
図６は、補助カード８の他の好ましい例を示す図である。図６に示す例では、補助カード８の第２把持領域８２と中間領域８３との境界部に、第２把持領域８２と中間領域８３との境界を触覚認識させる境界マーク８５３が設けられる。図６に示す例では、境界マーク８５３は、第２境界線８５２に沿って補助カード８の幅方向に略直線状に延びるとともに補助カード８の表側に突出する線状凸部である。当該線状凸部は、例えば、エンボス加工により形成される。境界マーク８５３は、例えば、他の形状の凸部であってもよく、凹部または貫通孔等であってもよい。例えば、境界マーク８５３は、補助カード８の幅方向に延びる破線状の凸部であってもよく、線状の貫通孔であるスリットであってもよい。第２把持領域８２と中間領域８３との境界部に境界マーク８５３が設けられることにより、介助者が手元の補助カード８を見にくい場合であっても、介助者の指先が第２把持領域８２から中間領域８３へとはみ出すことを防止または抑制することができる。その結果、補助カード８の受け渡しの際に、着用者の手と介助者の手とが接触することをさらに好適に防止することができる。
【００５２】
図７は、本発明の第２の実施の形態に係る補助カード８ａを拡大して示す平面図である。補助カード８ａは、図４に示す中間領域８３とは外形が異なる中間領域８３ａが中間領域８３に代えて設けられる点を除き、図４に示す補助カード８と略同様の構造を有する。以下の説明では、補助カード８ａの構成のうち、図４に示す補助カード８と同様の構成に同符号を付す。
【００５３】
図７に示す補助カード８ａでは、第１把持領域８１、中間領域８３ａおよび第２把持領域８２が、この順番で補助カード８ａの長手方向に並んで配置される。そして、中間領域８３ａの幅方向（すなわち、上記長手方向に垂直な方向）の幅が、第１把持領域８１の幅方向の幅、および、第２把持領域８２の幅方向の幅よりも小さい。これにより、中間領域８３ａを、第１把持領域８１および第２把持領域８２から視覚にて容易に識別することができる。その結果、着用者および介助者が補助カード８ａの中間領域８３ａに触れることが抑制されるため、補助カード８ａの受け渡しの際に、着用者の手と介助者の手とが接触することをさらに好適に防止することができる。
【００５４】
図７に示す例では、中間領域８３ａの幅は、第１境界線８５１において第１把持領域８１の幅と略同じであり、第２境界線８５２において第２把持領域８２の幅と略同じである。中間領域８３ａの幅は、第１把持領域８１および第２把持領域８２から長手方向に離れるに従って漸次減少し、中間領域８３ａの長手方向の中央部において最小となっている。換言すれば、中間領域８３ａの幅は、第１境界線８５１および第２境界線８５２上を除き、第１把持領域８１および第２把持領域８２の幅よりも小さい。
【００５５】
補助カード８ａでは、上述のように、第１把持領域８１、中間領域８３ａおよび第２把持領域８２の幅の違いにより、それぞれの領域を視覚により識別可能であるため、第１把持領域８１、中間領域８３ａおよび第２把持領域８２は、色、図形、文字または模様等により識別可能とされる必要はない。例えば、第１把持領域８１、中間領域８３ａおよび第２把持領域８２の色は全て同じであってもよい。
【００５６】
上述の補助カード８，８ａでは、様々な変更が可能である。
【００５７】
例えば、補助カード８では、必ずしも第２把持領域８２に把持目印８２１が設けられる必要はない。また、第１把持領域８１、中間領域８３および第２把持領域８２の長手方向の長さの大小関係は、様々に変更されてよい。補助カード８ａにおいても同様である。
【００５８】
第１把持領域８１と第２把持領域８２とは視覚により識別可能であれば、必ずしも異なる色である必要はない。また、第１把持領域８１または第２把持領域８２に図形や文字、模様等が表示される必要もない。例えば、第１把持領域８１の幅方向の幅と第２把持領域８２の幅方向の幅とを異ならせることにより、第１把持領域８１と第２把持領域８２とが視覚により識別可能とされてもよい。
【００５９】
着用紐７１の係止部８４への係止態様は様々に変更されてよい。例えば、着用紐７１の自由端部が、補助カード８の裏側から係止部８４に挿入され、補助カード８の表側にて緩い結び目が形成されることにより、着用紐７１が補助カード８に係止されてもよい。上述の緩い結び目とは、例えば、着用紐７１の自由端部のみで形成されたものであり、着用紐７１を補助カード８から離れる方向に引っ張ることにより、自然にほどける程度の強さで形成されたものである。着用紐７２についても同様である。なお、着用紐７２は、医療用ガウン１の着用前の状態において、必ずしも補助カード８に係止されている必要はない。補助カード８ａにおいても同様である。
【００６０】
補助カード８では、係止部８４の形状が様々に変更されてよい。例えば、係止部８４は、補助カード８の縁部に形成された切れ目であってもよい。この場合、着用紐７１の自由端部が係止部８４に挟まれることにより、着用紐７１が補助カード８に係止される。また例えば、係止部８４は、補助カード８の表面に設けられて着用紐７１の自由端部を粘着して係止する粘着部であってもよい。補助カード８ａにおいても同様である。
【００６１】
補助カード８，８ａに係止される着用紐７１は、必ずしも医療用ガウン１の腰部近傍に設けられるものには限定されず、医療用ガウン１の他の部位に設けられるものであってもよい。
【００６２】
医療用ガウン１は、上述の構成以外に様々な構成を備えていてもよい。例えば、医療用ガウン１は、着用者の喉元に位置する前面部２の上端縁から上方に広がって着用者の顔の下半分を覆うマスク部を備えていてもよい。
【００６３】
上述の補助カード８，８ａは、着用者の前側で左右の部位を閉じる前閉じタイプの医療用ガウンに設けられてもよい。当該医療用ガウンは、例えば、連続する１枚のシート状の背面部と、当該背面部の左右両側から着用者の前面に広がる前面部（すなわち、着用者の前面にて互いに固定される内前面部および外前面部）と、前面部および背面部の左右方向の両側に繋がる一対の袖部とを備える。この場合であっても、補助カード８，８ａに中間領域８３，８３ａが設けられることにより、上記と同様に、補助カード８，８ａの受け渡しの際に、着用者の手と介助者の手とが接触することを好適に防止することができる。
【００６４】
補助カード８では、介助者の把持位置を視覚認識させる把持目印８２１が第２把持領域８２に設けられるのであれば、必ずしも中間領域８３は設けられなくてもよい。この場合、補助カード８は、着用者の把持用の領域である第１把持領域８１と、介助者の把持用の領域であって第１把持領域８１と視覚により識別可能な第２把持領域８２と、第１把持領域８１に配置されて着用紐７１の端部が係止される係止部８４とを備える。これにより、介助者が補助カード８を把持する際に、介助者の指先が第２把持領域８２からはみ出ることを防止または抑制することができる。その結果、補助カード８の受け渡し（すなわち、着用紐７１の受け渡し）の際に、着用者の手と介助者の手とが接触することを好適に防止することができる。補助カード８ａにおいても同様である。
【００６５】
上記実施の形態および各変形例における構成は、相互に矛盾しない限り適宜組み合わされてよい。
【符号の説明】
【００６６】
１    医療用ガウン
８，８ａ    補助カード
７１，７２    着用紐
８１    第１把持領域
８２    第２把持領域
８３，８３ａ    中間領域
８４    係止部
８２１    把持目印
８３１    接触抑制目印
８５３    境界マーク
【図１】
2018090930.tif 000003
【図２】
2018090930.tif 000004
【図３】
2018090930.tif 000005
【図４】
2018090930.tif 000006
【図５】
2018090930.tif 000007
【図６】
2018090930.tif 000008
【図７】
2018090930.tif 000009